(57)【要約】      （修正有）【課題】充電機能を有するスーツケースを提供する。【解決手段】スーツケースが、スーツケース本体１と、スーツケース本体の底部に配設されるローラ２０と、ローラに配設される電流発生デバイスと、電流発生デバイスに接続されるＰＣＢ６０と、ＰＣＢに接続される充電式バッテリ７０と、を備え、電流発生デバイスは、スーツケース本体の底部に固定され、かつ、ローラシャフトを通してローラに接続されるローラブラケット１０と、ローラブラケット上に固定され、かつ発生器回路基板および電力線を有する電力発生器固定板と、電力発生器固定板上に固定され、かつ発生器回路基板に接続される電力発生器と、からなる。また、ローラシャフトに接続されるローラ上に、第１のギア、電力発生器のシャフト上に第２のギアを有し、第２のギアは、直接的に、または伝動装置を通して第１のギアと係合される。また、充電式バッテリは、内蔵型回路基板７３を含み、少なくとも１つの出力ポート７２を含む。【選択図】図１
0003214068.tif 000002
【実用新案登録請求の範囲】
【請求項１】
スーツケース本体と、
前記スーツケース本体の底部に配設される少なくとも２つのローラと、
前記ローラのうちの１つに配設される電流発生デバイスと、
前記電流発生デバイスに接続され、交流電流を直流電流に変換しおよび電圧を調整しかつ安定させるために使用されるＰＣＢと、
ワイヤーを通して前記ＰＣＢに接続される充電式バッテリと、を備え、
前記電流発生デバイスは、前記スーツケース本体の底部に固定され、かつ、ローラシャフトを通して前記ローラに接続されるローラブラケットと、前記ローラブラケット上に固定され、かつ発生器回路基板および電力線を有する電力発生器固定板と、前記電力発生器固定板上に固定され、かつ前記発生器回路基板に接続される少なくとも１つの電力発生器と、を含み、
前記ローラシャフトに接続される前記ローラは、第１のギアを有し、前記電力発生器のシャフトは第２のギアを有し、前記第２のギアは、直接的に、または伝動装置を通して前記第１のギアと係合され、前記電力発生器は、前記ローラが時計回りまたは反時計回りに回転しても電流を効果的に発生し、前記電流発生デバイスは、前記ローラのそれぞれが異なる速度でおよび異なる方向に移動しても正常に機能し、
前記充電式バッテリは、電圧を安定させかつ電流を制限するための内蔵型回路基板を含み、さまざまなタイプの電子製品を充電するための少なくとも１つの出力ポートを含む、充電機能を有するスーツケース。
【請求項２】
前記スーツケースの前記ローラの数は２つであり、前記ローラのそれぞれは前記電流発生デバイスを備える、請求項１に記載の充電機能を有するスーツケース。
【請求項３】
前記電力発生器および前記第２のギアは、それぞれ、前記電力発生器固定板の前側および後側にある、請求項１に記載の充電機能を有するスーツケース。
【請求項４】
前記電力発生器および前記発生器回路基板は、前記電力発生器固定板の同じ側にある、請求項１に記載の充電機能を有するスーツケース。
【請求項５】
前記電力発生器固定板は２つの電力発生器を含む、前記第２のギアは前記伝動装置を通して前記第１のギアと係合される、請求項２に記載の充電機能を有するスーツケース。
【請求項６】
前記伝動装置は、前記ローラ上の前記第１のギアと係合される第１の伝動装置と、接続シャフトを通して前記第１の伝動装置に接続され、同時に、２つの前記電力発生器の前記シャフト上の前記第２のギアと係合される第２の伝動装置と、を含む、請求項５に記載の充電機能を有するスーツケース。
【請求項７】
接続シャフトをさらに含み、接続部品を通して前記電力発生器固定板上に固定され、前記接続シャフトの端部は前記第２の伝動装置の穴に挿入させるために、前記第２の伝動装置の前記穴の形状と適合させた表面を有し、前記充電機能を有するスーツケースは前記接続シャフト上にスリーブ接続させた少なくとも１つの軸受をさらに含む、請求項６に記載の充電機能を有するスーツケース。
【請求項８】
カバー板をさらに含み、前記カバー板および前記ローラブラケットは閉鎖空間を形成し、前記電力発生器固定板、前記電力発生器、および前記伝動装置は、前記閉鎖空間内にある、請求項２に記載の充電機能を有するスーツケース。
【請求項９】
前記ローラブラケットを前記スーツケース本体上に設置するための設置部をさらに含む、請求項２に記載の充電機能を有するスーツケース。
【請求項１０】
前記ローラ上の前記第１のギアは、前記ローラに対して直接はめ込まれ、かつ固定される、請求項２に記載の充電機能を有するスーツケース。
【請求項１１】
前記スーツケース本体内に配設され、かつ、前記充電式バッテリを受けるために使用されるバッテリ収納部をさらに含む、請求項１に記載の充電機能を有するスーツケース。
【請求項１２】
前記バッテリ収納部は緩衝層を備える、請求項１１に記載の充電機能を有するスーツケース。
【請求項１３】
前記ローラの数は４つであり、前記ローラのそれぞれは前記電流発生デバイスを備える、請求項１に記載の充電機能を有するスーツケース。
【請求項１４】
前記ローラブラケットは、対応して配設される、第１の取り付け板および第２の取り付け板、ならびに、前記第１の取り付け板および前記第２の取り付け板を接続する固定板を含み、前記ローラは、前記第１の取り付け板と前記第２の取り付け板との間にあり、前記固定板は前記ローラの上にあり、前記ローラシャフトは、前記第１の取り付け板、前記ローラ上の前記第１のギア、前記ローラ、および前記第２の取り付け板を順番に通過し、前記電力発生器固定板は前記第１の取り付け板の外側に固定され、前記ローラブラケットは、前記固定板および前記スーツケース本体の底部を通過し、かつ前記ローラブラケットを前記スーツケース本体の底部に固定させるために使用される中央シャフトレバーをさらに含む、請求項１３に記載の充電機能を有するスーツケース。
【請求項１５】
前記ローラは複数の固定穴を含み、前記第１のギアは、前記固定穴に挿入させるために複数の対応するプラグイン部品を含む、請求項１４に記載の充電機能を有するスーツケース。
【請求項１６】
前記第１のギアは前記第１の取り付け板の内側の溝に位置し、前記第２のギアと直接係合される、請求項１４に記載の充電機能を有するスーツケース。
【請求項１７】
前記第１の取り付け板に接続され、かつ、前記電力発生器および前記電力発生器固定板を覆うために使用される第１のカバーをさらに含む、請求項１４に記載の充電機能を有するスーツケース。
【請求項１８】
前記ローラブラケット上に位置するワイヤー絡み合い防止モジュールをさらに含み、底部から最上部まで、前記中央シャフトレバーは、前記固定板、前記ワイヤー絡み合い防止モジュール、シールカバー、および上カバーを順番に通過し、前記中央シャフトレバーは、前記上カバーによって前記スーツケース本体の底部に固定され、前記充電機能を有するスーツケースは、前記上カバー上に配設される内側キャップをさらに含む、請求項１４に記載の充電機能を有するスーツケース。
【請求項１９】
前記スーツケース本体の底部において、内部の凹部に面する空間は、前記ワイヤー絡み合い防止モジュールに対応する位置に確保され、かつ、前記ワイヤー絡み合い防止モジュールを受けるために使用される、請求項１８に記載の充電機能を有するスーツケース。
【請求項２０】
前記ワイヤー絡み合い防止モジュールは、前記固定板上に配設される凸状部品であって、上端が前記スーツケース本体に延在する凸状部品と、前記凸状部品を取り囲みかつこれに対して固定され、前記発生器回路基板から導き出される電力線によって接続される複数のリング状接触部と、前記固定板の上端に配設され、かつ前記リング状接触部を覆うシールカバーと、前記シールカバー上に固定されるばね部品であって、１端部が、前記シールカバーを通りかつ前記リング状接触部に接触し、別の端部は前記ＰＣＢのワイヤーに接続されるばね部品と、を含む、請求項１８に記載の充電機能を有するスーツケース。
【請求項２１】
前記ローラブラケットの前記固定板と前記ワイヤー絡み合い防止モジュールの前記シールカバーとの間に軸受が配置される、請求項１８に記載の充電機能を有するスーツケース。
【請求項２２】
前記ローラブラケットと前記スーツケース本体の底部との間に緩衝ばねが配置される、請求項１に記載の充電機能を有するスーツケース。
【請求項２３】
４つの前記ローラ群があり、どの前記ローラ群もみな、前記電流発生デバイスを備え、接続シャフトを通して接続される２つのローラを含む、請求項１に記載の充電機能を有するスーツケース。
【考案の詳細な説明】
【技術分野】
【０００１】
本考案は、スーツケースに関し、とりわけ、充電機能を有するスーツケースに関する。
【背景技術】
【０００２】
現在では、スマートフォン、携帯電話、フラットなコンピュータおよびノートブックなどのハンドヘルド電子デバイスは生活になくてはならないものであるため、前述のハンドヘルド電子デバイスの充電式バッテリをいかに迅速にかつ容易に充電するかは、人々の生活水準を改善するための大きな要因になっている。
【０００３】
多くの人々は、自宅またはオフィスで充電器によってハンドヘルド電子デバイスを充電する。しかしながら、旅行者は旅行中に自身の携帯電話および他の電子デバイスを充電できないかもしれない。当然ながら、一部の人々は、必要な場合には携帯電源（バッテリ）を携行する場合があるが、携帯電源もまた、充電器によって充電する必要がある。従って、今までのところ、旅行中の充電についての問題を解決するために講じられる効果的な手段はない。
【０００４】
中には、電力を発生させることができるスーツケースを開発した人々もいるが、これらのスーツケースはその設計に以下の問題があるため市場に投入されたことはない。
【０００５】
１．スーツケースの内部機構は摩擦力（内部抵抗）が大きく、スーツケースの移動を困難にしている。
【０００６】
２．発生した電流は、ハンドヘルド電子デバイスを効果的に充電するには低すぎる。
【０００７】
３．スーツケースはあちこち移動させるまたは湿気が多く埃っぽい場所に保管されることが多いが、防湿性および防塵性を有するように効果的に設計されていないため、充電デバイスが故障することになる。
【０００８】
４．充電式バッテリは保護されていない。バッテリ損傷は極めて危険であり、爆発を引き起こす場合さえある。その上、バッテリ設計はまた、国際航空会社の規定に従わなくてはならない。
【考案の概要】
【考案が解決しようとする課題】
【０００９】
本考案の特徴および利点は、以下の説明において一部述べられることになり、または、このような説明から明らかとなり、または、本考案を実践することにより知ることになるであろう。
【課題を解決するための手段】
【００１０】
先行技術の問題を克服するために、本考案の充電機能を有するスーツケースは、スーツケース本体の底部に固定されるローラブラケットと、ローラシャフトを通してローラブラケットと接続され、かつ第１のギアを有するローラと、ローラブラケット上に固定され、かつ発生器回路基板および電力線を有する電力発生器固定板と、電力発生器固定板上に固定され、かつ発生器回路基板に接続される電力発生器と、電流発生デバイスに接続され、交流電流を直流電流に変換しおよび電圧を調整しかつ安定させるために使用されるＰＣＢと、ワイヤーを通してＰＣＢに接続される充電式バッテリと、を含む、充電機能を有するスーツケースを提供する。電力発生器のシャフトは第２のギアを有する。第２のギアは、直接的にまたは伝動装置を通して第１のギアと係合される。電力発生器は時計回りまたは反時計回りに回転しても電流を効果的に発生させる。充電式バッテリは、電圧を安定させかつ電流を制限するための内蔵型回路基板を含み、さまざまなタイプの電子製品を充電するための少なくとも１つの出力ポートを含む。
【００１１】
本考案の１つの実施形態では、
電力発生器および第２のギアは、それぞれ、電力発生器固定板の前側および後側にある。
【００１２】
本考案の別の実施形態では、
電力発生器および発生器回路基板は、電力発生器固定板の同じ側にある。
【００１３】
さらなる実施形態では、２つの電力発生器があり、第２のギアは伝動装置を通して第１のギアと係合される。
【００１４】
さらなる実施形態では、伝動装置は、ローラ上の第１のギアと係合される第１の伝動装置と、接続シャフトを通して第１の伝動装置に接続され、同時に、２つの電力発生器のシャフト上の第２のギアと係合される第２の伝動装置と、を含む。
【００１５】
本考案のさらに別の実施形態では、充電機能を有するスーツケースは接続シャフトをさらに含みは、ねじを通して電力発生器固定板上に固定され、接続シャフトの端部は、第２の伝動装置の穴に挿入させるために、第２の伝動装置の穴の形状と適合させた表面を有する。充電機能を有するスーツケースは、接続シャフト上にスリーブ接続させた軸受をさらに含む。
【００１６】
さらなる実施形態では、ローラブラケットはダストボックスを含む。電力発生器固定板、電力発生器、伝動装置、およびＰＣＢは、ダストボックス内に配設される。
【００１７】
さらなる実施形態では、ダストボックスを密閉するためにダストボックスの開口部上にはカバー板がある。ダストボックスの開口部はスーツケース本体の底面に垂直である。
【００１８】
さらなる実施形態では、ローラ上の第１のギアは、ローラに対して直接はめ込まれ、かつ固定される。
【００１９】
さらに別の実施形態では、スーツケース本体内に配設され、かつ、充電式バッテリを受けるために使用されるバッテリ収納部がある。
【００２０】
さらに別の実施形態では、バッテリ収納部は緩衝層を備える。
【００２１】
さらに別の実施形態では、ローラは弾性および高摩擦材料から作られる。
【００２２】
さらに別の実施形態では、ローラブラケットは、対応して配設される、第１の取り付け板および第２の取り付け板、ならびに、第１の取り付け板および第２の取り付け板を接続する固定板を含む。ローラは、第１の取り付け板と第２の取り付け板との間にある。固定板はローラの上にある。ローラシャフトは、第１の取り付け板、ローラ上の第１のギア、ローラ、および第２の取り付け板を順番に通過する。電力発生器固定板は第１の取り付け板の外側に固定される。ローラブラケットは、固定板およびスーツケース本体の底部を通過し、かつローラブラケットをスーツケース本体の底部に固定させるために使用される中央シャフトレバーをさらに含む。
【００２３】
さらなる実施形態では、ローラは、複数の固定穴を含み、第１のギアは、固定穴に挿入させるために複数の対応するプラグイン部品を含む。
【００２４】
さらなる実施形態では、第１のギアは第１の取り付け板の内側の溝に位置し、第２のギアと直接係合される。
【００２５】
さらなる実施形態では、充電機能を有するスーツケースは、第１の取り付け板に接続され、かつ、電力発生器および電力発生器固定板を覆うために使用される第１のカバーをさらに含む。
【００２６】
さらなる実施形態では、充電機能を有するスーツケースは、ローラブラケット上に位置するワイヤー絡み合い防止モジュールをさらに含む。底部から最上部まで、中央シャフトレバーは、固定板、ワイヤー絡み合い防止モジュール、シールカバー、および上カバーを順番に通過する。中央シャフトレバーは、上カバーによってスーツケース本体の底部に固定される。充電機能を有するスーツケースは、ＰＣＢを保護するために上カバー上に配設される内側キャップをさらに含む。
【００２７】
さらに別の実施形態では、ワイヤー絡み合い防止モジュールは、固定板上に配設される凸状部品であって、上端がスーツケース本体内に延在する凸状部品と、凸状部品を取り囲みかつこれに対して固定され、発生器回路基板から導き出される電力線によって接続される複数のリング状接触部と、固定板の上端に配設され、かつリング状接触部を覆うシールカバーと、シールカバー上に固定されるばね部品と、を含む。ばね部品の１端部は、シールカバーを通り、かつ、リング状接触部に接触する。ばね部品の別の端部は充電式バッテリのワイヤーに接続される。
【００２８】
説明を最後まで読むことによって、当業者は、技術的解決策の特性および内容をより良く認識するであろう。
【００２９】
本考案について、ここで、本考案の実施形態を例示する添付の図面を参照することによって説明し、これによって、本考案の利点および実現方法が明らかとなるであろう。添付の図面に示される内容は、例示を意図するものであって、決して本考案を制限するものではない。
【図面の簡単な説明】
【００３０】
【図１】本考案の第１の実施形態における充電機能を有するスーツケースの構造概略図である。
【図２】本考案の第１の実施形態における組み立て後のローラブラケットおよび他の構成部品の構造概略図である。
【図３】組み立て前の本考案の第１の実施形態におけるローラブラケットおよび他の構成部品の概略図である。
【図４】組み立て後の本考案の第１の実施形態におけるローラ、伝動装置、および電力発生器の概略図である。
【図５】本考案の第１の実施形態における電力発生器および電力発生器固定板の構造概略図である。
【図６】本考案の第２の実施形態における充電機能を有するスーツケースの構造概略図である。
【図７】組み立て後の本考案の第２の実施形態におけるローラブラケットおよび他の構成部品の構造概略図である。
【図８】組み立て前の本考案の第２の実施形態におけるローラブラケットおよび他の構成部品の構造概略図である。
【図９】本考案の第２の実施形態における電力発生器および電力発生器固定板の構造概略図である。
【図１０】本考案の第２の実施形態における電力発生器、ローラ、およびワイヤー絡み合い防止モジュールの組み立ての概略図である。
【考案を実施するための形態】
【００３１】
本考案によって提供される、充電機能を有するスーツケースは、２つのローラのスーツケースおよび４つのローラのスーツケースに適用可能である。最初に、例として２つのローラのスーツケースを使用すると、図１〜図５に示されるように、本考案によって提供される、充電機能を有するスーツケースは、スーツケース本体１の底部に固定されるブラケット１０と、ローラシャフト２５を通してローラブラケット１０に接続され、第１のギア２１を有するローラ２０と、ローラブラケット１０上に固定され、かつ発生器回路基板３１、および電力線３２を有する電力発生器固定板３０と、電力発生器固定板３０上に固定され、かつ発生器回路基板３１に接続される電力発生器４０であって、発生器４０のシャフトは伝動装置を通して第１のギア２１と係合される第２のギア４１を有し、当該ローラが時計回りまたは反時計回りに回転しても電流を効果的に発生させる、電力発生器４０と、交流電流を直流電流に変換しおよび電圧を調整しかつ安定させるために使用される、電力線３２に接続されるＰＣＢ６０と、ワイヤー７１を通してＰＣＢ６０に接続される充電式バッテリ７０と、からなる。充電式バッテリ７０は、電圧を安定させかつ電流を制限するための内蔵型回路基板７３、および、さまざまなタイプの電子製品を充電するための複数の出力ポート７２を備える。
【００３２】
図４に示されるように、電力発生器４０および第２のギア４１は、それぞれ、電力発生器固定板３０の前側および後側にある。電力発生器４０および発生器回路基板３１は、電力発生器固定板３０の同じ側にある。
【００３３】
この実施形態では、伝動装置は、ローラ２０上の第１のギア２１と係合される第１の伝動装置５１と、第１の伝動装置５１に接続され、電力発生器のシャフト上の第２のギア４１と係合させるために使用される第２の伝動装置５２とを含む。この実施形態では２つの電力発生器を利用する。よって、第２の伝動装置５２は、同時に、２つの電力発生器のシャフト上の第２のギア４１と係合される。電力発生器４０は、当該ローラが時計回りまたは反時計回りに回転しても正常に機能する。従って、電流は、スーツケースが前方または後方に移動しても発生させることができる。
【００３４】
具体的に言えば、接続シャフト５３は、電力発生器固定板３０を通過するねじを通して電力発生器固定板３０上に固定される。接続シャフト５３の１端部は、第２の伝動装置５２の穴の形状と適合させた表面を備え、固定させるために、第２の伝動装置５２の穴に挿入させるようにする。軸受５４もあり、その数量は２つであってよい。軸受５４は、接続シャフト５３上にスリーブ接続される。軸受を備えることによって、車輪はより円滑に回転でき、その製品寿命は大幅に延長される。
【００３５】
図３に示されるようにローラブラケット１０はダストボックス１１を含む。電力発生器固定板３０、電力発生器４０、伝動装置５０、およびＰＣＢ６０は、蒸気および埃の侵入を防止するためにダストボックス１１内に配設される。ダストボックス１１の開口部上にカバー板１２もある。ダストボックス１１の開口部はスーツケース本体１の底面に垂直である。
【００３６】
ローラ２０は、ローラ本体２４、および、ローラ本体２４内に軸受２３を含む。第１のギア２１は、ローラ２０に対して直接はめ込まれ、かつ固定される。ローラシャフト２５は、軸受２３、ローラ本体２４、第１のギア２１、調節部品、およびローラブラケットの側壁を通過し、ナットを通してローラブラケット１０に接続される。
【００３７】
前述の第１のギア２１、伝動装置、および第２のギア４１は、ギアシステムを構成する。詳細な研究、計算、および試験によって、このギアシステムは、最適な伝達比を与えることができ、それによって、ユーザが、通常の速度で歩くか早い速度で走るかに関わらず、スーツケースを携行して歩く時に、確実に電流を発生させることができる。また、その効果は自宅での充電と変わらないものである。具体的に言えば、通常の歩行速度で、ギアシステムは、自宅の充電器と同じ大きさの電力を発生させるように、電力発生器を理想的な速度で回転させることができる。走る速度が速い時、電力発生器は依然、電力発生器の容量の範囲内でより大きな電流を発生させることができ、かつ損傷しないようにすることができる。さらに、伝動装置の設計は、水または埃による電力発生器またはＰＣＢシステムの破壊をより効果的に防止することができる。
【００３８】
ローラと地面との間の摩擦は非常に重要である。摩擦が小さすぎる場合、ローラは「摺動する」ことになる。これは、電力発生器を作動させることができず、電力を発生させることができないことを意味する。摩擦を改善するために、本考案におけるローラは、地面を捉える十分な力を発生させるために弾性および高摩擦材料を採用する。ギアシステムの設計のおかげで、移動機構は全体として摩擦（内部抵抗）が小さい。この結果、荷物は前方または後方に容易に移動可能である。
【００３９】
電力発生器４０によって発生させた電流は、最初にＰＣＢ６０に送られることになる。電流は調整されかつ安定にされ、交流電流は直流電流に変換されることになる。次いで、該電流は充電式バッテリ７０に送出される。充電式バッテリ７０の内蔵型回路基板７３は、電圧を安定させ、かつ電流を制限する役割を果たす。上記の保護手段によって、充電式バッテリ７０の損傷を防止し、かつ充電を安全に行えるようにする。
【００４０】
図には示されていないが、本考案によって提供される充電機能を有するスーツケースはまた、バッテリ収納部を含む。このバッテリ収納部は、スーツケース本体１内にあり、充電式バッテリ７０を受けるためのものである。バッテリ収納部は、緩衝層を備え、これを使用して、振動および衝突による充電式バッテリ７０の損傷を防止する。充電式バッテリ７０はバッテリ収納部から取り出し可能であるため、ユーザが充電機能を有するスーツケースを携行する必要がない時に充電式バッテリ７０は使用可能である。
【００４１】
以下に、本考案によって提供される充電機能を有するスーツケースを紹介するために、４つのローラのスーツケースを例として挙げる。図６〜図１０を参照されたい。この実施形態では、充電機能を有するスーツケースは、スーツケース本体の底部に固定されるローラブラケット１００と、第１のギア２１０を有し、かつローラシャフト２３０を通してローラブラケット１００に接続されるローラ２００と、ローラブラケット１００上に固定され、かつ発生器回路基板３１０および電力線３２０を有する電力発生器固定板３００と、電力発生器固定板３００上に固定され、かつ電力発生器回路基板３１０に接続される電力発生器４００とからなる。電力発生器４００のシャフト上に第２のギア４１０があり、第２のギア４１０は第１のギア２１０と直接係合される。ＰＣＢは、交流電流を直流電流に変換しおよび電圧を調整しかつ安定させるために使用され、電力線３２０に接続される。充電式バッテリ７００はワイヤー７１０を介してＰＣＢ６００に接続される。充電式バッテリ７００は、電圧を安定にし、かつ電流を制限するための内蔵型保護回路基板７３０と、異なる電子デバイスを充電するための複数の出力ポート７２０とを有する。
【００４２】
図９に示されるように、電力発生器４００および第２のギア４１０は、それぞれ、電力発生器固定板３００の前側および裏側にある。電力発生器４００および発生器回路基板３１０は、電力発生器固定板３００の同じ側にある。
【００４３】
この実施形態では、ローラブラケット１００は、対応して配設される、第１の取り付け板１１０および第２の取り付け板１２０、ならびに、第１の取り付け板１１０および第２の取り付け板１２０を接続する固定板１３０を含む。ローラ２００は、第１の取り付け板１１０と第２の取り付け板１２０との間にある。固定板１３０はローラ２００の上にある。ローラシャフト２３０は、第１の取り付け板１１０、第１のギア２１０、ローラ２００、および第２の取り付け板１２０を通過する。電力発生器固定板３００は、ねじを通して、または他の方法によって、第１の取り付け板１１０上に固定可能である。中央シャフトレバー１５０もあり、このレバーは、固定板１３０およびスーツケース本体の底部を通過し、ローラブラケット１００をスーツケース本体の底部に固定させるために使用される。
【００４４】
この実施形態では、ローラ２００上に複数の固定穴がある。第１のギア２１０上に、複数の対応するプラグイン部品があり、固定穴に挿入されるためのものであり、それによって、第１のギア２１０をローラ２００上に固定する。
【００４５】
ローラ２００は、第１の取り付け板１１０と第２の取り付け板１２０との間にある。第１のギア２１０は第１の取り付け板１１０の内側の溝に位置し、第２のギア４１０と直接係合される。
【００４６】
蒸気および埃の影響を防止するために、ねじを通して第１の取り付け板１１０に接続され、かつ、電力発生器４００および電力発生器固定板３００を覆うために使用される第１のカバー１７０、および、上にある留め金によって第２の取り付け板１２０上の貫通孔にパチッとはめられることによって、第２の取り付け板１２０に接続される第２のカバー１６０もある。その上、電力発生器４００および発生器回路基板３１０の位置は、ローラ２００の中心より高く、水または埃によるシステムの破壊をさらに防止することができる。実際、第１の取り付け板１１０自体も、水および埃によるシステムの破壊を妨げる機能を有する。
【００４７】
この実施形態では、スーツケース本体内にワイヤー絡み合い防止モジュールもある。底部から最上部まで、中央シャフトレバー１５０は、固定板１３０、ワイヤー絡み合い防止モジュール、および上カバー１４８を順番に通過する。ワイヤー絡み合い防止モジュールは、上カバー１４８によってスーツケース本体の底部に固定される。ＰＣＢを保護するために、上カバー１４８上に内側キャップ１４９もある。
【００４８】
この実施形態では、ワイヤー絡み合い防止モジュールは、１端部がスーツケース本体の内部まで延在する固定板１３０と、固定板１３０の上端を取り囲みかつこれに対して固定され、発生器回路基板３１０から導き出される電力線３２０によって接続される複数のリング状接触部１４１、１４２、および１４３と、固定板１３０の上端に配設され、かつリング状接触部１４１、１４２、および１４３を取り巻くシールカバー１４７と、シールカバー１４７上に固定されるばね部品１５２、１５３、および１５４と、を含む。ばね部品１５２、１５３、および１５４のそれぞれの１端部は、シールカバー１４７を通過し、かつ、リング状接触部１４１、１４２、および１４３に接触し、他端部は充電式バッテリと接続されるワイヤー７１０に接続される。ワイヤー絡み合い防止モジュールは、シールカバーの内側上端にワッシャ１５５および１５６も含む。
【００４９】
４つのローラのスーツケースでは、ローラ２００は中央シャフトレバー１５０に沿って、時計回りまたは反時計回りに３６０度回転することができ、電力発生器によって発生させる電気を流す電力線３２０は、第１のリング状接触部１４１、第２のリング状接触部１４２、および第３のリング状接触部１４３の底部に接続される。ばね部品１５２、１５３、および１５４はシールカバーを通過し、かつ、対応する第１のリング状接触部１４１、第２のリング状接触部１４２、および第３のリング状接触部１４３に接触する。ばね部品の弾性力は、慎重に較正されるため、多くの場合、大幅に大きい抵抗を発生させずに、ローラ２００が３６０度回転しないように、第１のリング状接触部１４１、第２のリング状接触部１４２、および第３のリング状接触部１４３に接触させることができる。ばね部品１５２、１５３、および１５４の別の端部は、延長させたワイヤー７１０に接続される。ワイヤー７１０は電流をＰＣＢに輸送する。ここで、交流電流は直流電流に変換されることになり、電圧は調整されかつ安定させられた後、電流は充電式バッテリ７００に送出される。充電式バッテリ７００の内蔵型回路基板７３０は、電圧を安定させ、かつ電流を制限する役割を果たす。前述の設計では、確実にワイヤーが絡み合わないようにし、充電式バッテリに効果的に接続でき、ローラ２００が回転する方向に関係なく停止せずに電流を充電式バッテリに転送することができる。
【００５０】
前述の保護手段によって、充電式バッテリ７００の損傷を効果的に防止でき、かつ充電をより安全に行うことができる。
【００５１】
図には示されていないが、本考案によって提供される充電機能を有するスーツケースはまた、バッテリ収納部を含む。このバッテリ収納部は、充電式バッテリ７００を受けるために、スーツケース本体内の任意の適切な位置に配置可能である。バッテリ収納部は、緩衝層を備え、これを使用して、振動または衝突による充電式バッテリ７００の損傷を防止する。充電式バッテリ７００はバッテリ収納部から取り出し可能であるため、ユーザが充電機能を有するスーツケースを携行する必要がない時に充電式バッテリ７００は使用可能である。
【００５２】
本考案によって提供される充電機能を有するスーツケースは、第１のギアおよび第２のギアを、ローラの回転によって回転させ、それによって、電力発生器に電力を発生させる。また、該スーツケースは、最適な伝達比を提供し、電流を引き起こし、出力を継続的に行う。さらに、該スーツケースは、スーツケースを押すまたは引くことによって移動させるために摩擦を低減することもできる。電力発生器によって発生させた電流は、ＰＣＢを通して、ＡＣ／ＤＣ変換、調整、および安定化を実現し、次いで、充電式バッテリに充電される。充電式バッテリ７００は、内蔵型回路基板７３０を備え、この基板は電圧を安定させ、かつ電流を制限する役割を果たす。前述の保護手段によって、効果的に、安全な充電を確実に行うことができる。複数の出力を通して、充電式バッテリは異なる電子デバイスを同時に充電することができる。ローラは、弾性および高摩擦材料から作られ、地面を効果的に捉えることができる。異なる防湿性および防塵性を有する技術的手段は、２つのローラのスーツケースおよび４つのローラのスーツケースそれぞれに設けられて、充電システム全体の損傷を防止する。
【００５３】
上記では、本考案の好ましい実施形態が添付の図面を参照することによって説明されている。本考案の範囲および本質から逸脱することなく、当業者は、本考案を実現するためにさまざまな改良されたスキームを採用することができる。例えば、一実施形態に部分的に提示されるまたは記載される特徴は、別の実施形態を達成するために別の実施形態において使用されてよい。上記実施形態は、本考案の好ましく実現可能な実施形態に過ぎず、本考案の特許請求の範囲を制限するものではない。本考案の説明および図面の内容を適用することによってなされる全ての等価の変更は、本考案の特許請求の範囲に含まれる。
【図１】
0003214068.tif 000003
【図２Ａ】
0003214068.tif 000004
【図２Ｂ】
0003214068.tif 000005
【図３】
0003214068.tif 000006
【図４Ａ】
0003214068.tif 000007
【図４Ｂ】
0003214068.tif 000008
【図５】
0003214068.tif 000009
【図６】
0003214068.tif 000010
【図７】
0003214068.tif 000011
【図８】
0003214068.tif 000012
【図９】
0003214068.tif 000013
【図１０】
0003214068.tif 000014
【図１１】
0003214068.tif 000015
【図１２】
0003214068.tif 000016
【図１３】
0003214068.tif 000017
【図１４】
0003214068.tif 000018
【図１５】
0003214068.tif 000019
【手続補正書】
【提出日】平成28年10月13日(2016.10.13)
【手続補正１】
【補正対象書類名】明細書
【補正対象項目名】全文
【補正方法】変更
【補正の内容】
【考案の詳細な説明】
【技術分野】
【０００１】
本考案は、スーツケースに関し、とりわけ、充電機能を有するスーツケースに関する。
【背景技術】
【０００２】
現在では、スマートフォン、携帯電話、フラットなコンピュータおよびノートブックなどのハンドヘルド電子デバイスは生活になくてはならないものであるため、前述のハンドヘルド電子デバイスの充電式バッテリをいかに迅速にかつ容易に充電するかは、人々の生活水準を改善するための大きな要因になっている。
【０００３】
多くの人々は、自宅またはオフィスで充電器によってハンドヘルド電子デバイスを充電する。しかしながら、旅行者は旅行中に自身の携帯電話および他の電子デバイスを充電できないかもしれない。当然ながら、一部の人々は、必要な場合には携帯電源（バッテリ）を携行する場合があるが、携帯電源もまた、充電器によって充電する必要がある。従って、今までのところ、旅行中の充電についての問題を解決するために講じられる効果的な手段はない。
【０００４】
中には、電力を発生させることができるスーツケースを開発した人々もいるが、これらのスーツケースはその設計に以下の問題があるため市場に投入されたことはない。
【０００５】
１．スーツケースの内部機構は摩擦力（内部抵抗）が大きく、スーツケースの移動を困難にしている。
【０００６】
２．発生した電流は、ハンドヘルド電子デバイスを効果的に充電するには低すぎる。
【０００７】
３．スーツケースはあちこち移動させるまたは湿気が多く埃っぽい場所に保管されることが多いが、防湿性および防塵性を有するように効果的に設計されていないため、充電デバイスが故障することになる。
【０００８】
４．充電式バッテリは保護されていない。バッテリ損傷は極めて危険であり、爆発を引き起こす場合さえある。その上、バッテリ設計はまた、国際航空会社の規定に従わなくてはならない。
【考案の概要】
【考案が解決しようとする課題】
【０００９】
本考案の特徴および利点は、以下の説明において一部述べられることになり、または、このような説明から明らかとなり、または、本考案を実践することにより知ることになるであろう。
【課題を解決するための手段】
【００１０】
先行技術の問題を克服するために、本考案は、スーツケース本体の底部に配設される４つのローラと、ローラのそれぞれに配設される電流発生デバイスと、電流発生デバイスに接続され、交流電流を直流電流に変換しおよび電圧を調整しかつ安定させるために使用されるＰＣＢと、ワイヤーを通してＰＣＢに接続される充電式バッテリと、を含む、充電機能を有するスーツケースを提供する。電流発生デバイスは、スーツケース本体の底部に固定され、かつ、ローラシャフトを通してローラに接続されるローラブラケットと、ローラブラケット上に配設されるワイヤー絡み合い防止モジュールと、ローラブラケット上に固定され、かつ発生器回路基板および電力線を有する電力発生器固定板と、電力発生器固定板上に固定され、かつ発生器回路基板に接続される少なくとも１つの電力発生器と、を含む。ローラシャフトに接続されるローラは第１のギアを有し、電力発生器のシャフトは第２のギアを有する。第２のギアは、直接的にまたは伝動装置を通して第１のギアと係合される。電力発生器は、当該ローラがどんな方向に回転しても電流を効果的に発生する。電流発生デバイスは、ローラのそれぞれが異なる速度でおよび異なる方向に移動しても正常に機能する。充電式バッテリは、電圧を安定させかつ電流を制限するための内蔵型回路基板を含み、さまざまなタイプの電子製品を充電するための少なくとも１つの出力ポートを含む。
【００１１】
本考案の別の実施形態では、第１のギアは第１の取り付け板の内側の溝に位置する。
【００１２】
本考案のさらなる実施形態では、スーツケースは、第１の取り付け板に接続され、かつ、電力発生器および電力発生器固定板を覆うために使用される第１のカバーをさらに含む。
【００１３】
本考案のさらなる実施形態では、ローラのそれぞれは、ローラシャフトを通して別のローラと共にローラのセットを形成する。ローラの２つのセットは、ローラブラケットの両側に配設される。ローラブラケットは２つの側板を含む。２つの側板は閉鎖空間を形成する。ローラシャフトはローラのうちの１つ、ローラブラケットの側板のうちの１つ、ローラに接続される第１のギア、ローラブラケットの別の側板、および別のローラを順番に通過する。第１のギア、電力発生器固定板、および第２のギアは、ローラブラケットの２つの側板によって形成される閉鎖空間内に設置される。充電機能を有するスーツケースは、ローラブラケットの最上部、ワイヤー絡み合い防止モジュール、およびスーツケース本体の底部を通過し、かつ、ローラブラケットをスーツケース本体の底部に固定するために使用される中央シャフトレバーをさらに含む。
【００１４】
本考案のさらなる実施形態では、ワイヤー絡み合い防止モジュールは、固定板上に配設される凸状部品であって、上端がスーツケース本体内に延在する凸状部品と、凸状部品を取り囲みかつこれに対して固定され、発生器回路基板から導き出される電力線によって接続される複数のリング状接触部と、固定板の上端に配設され、かつリング状接触部を覆うシールカバーと、シールカバー上に固定されるばね部品とを含む。ばね部品の１端部は、シールカバーを通過し、かつ、リング状接触部に接触する。ばね部品の別の端部はＰＣＢのワイヤーに接続される。
【００１５】
本考案のさらなる実施形態では、底部から最上部まで、中央シャフトレバーは、ローラブラケットの最上部、ワイヤー絡み合い防止モジュール、シールカバー、および上カバーを順番に通過する。中央シャフトレバーは上カバーによってスーツケース本体の底部に固定される。充電機能を有するスーツケースは上カバー上に配設される内側キャップをさらに含む。
【００１６】
さらなる実施形態では、ローラブラケットの固定板とワイヤー絡み合い防止モジュールのシールカバーとの間に軸受が配置される。
【００１７】
さらなる実施形態では、スーツケース本体の底部において、内部の凹部に面する空間は、ワイヤー絡み合い防止モジュールに対応する位置に確保され、かつ、ワイヤー絡み合い防止モジュールを受けるために使用される。
【００１８】
さらなる実施形態では、スーツケース本体の底部上にシャーシが配設されている。ローラは、接続部品を通してシャーシより下に設置される。
【００１９】
さらなる実施形態では、ローラブラケットとスーツケース本体の底部との間に緩衝ばねが配置される。
【００２０】
さらなる実施形態では、電力発生器および第２のギアは、それぞれ、電力発生器固定板の前側および後側にある。
【００２１】
さらなる実施形態では、電力発生器および発生器回路基板は、電力発生器固定板の同じ側にある。
【００２２】
さらなる実施形態では、スーツケースは、スーツケース本体内に配設され、かつ、充電式バッテリを受けるために使用されるバッテリ収納部をさらに含む。
【００２３】
さらなる実施形態では、バッテリ収納部は緩衝層を備える。
【００２４】
別の態様では、本考案は、スーツケース本体と、スーツケース本体の底部に配設される少なくとも２つのローラと、ローラのうちの１つに配設される電流発生デバイスと、電流発生デバイスに接続され、交流電流を直流電流に変換しおよび電圧を調整しかつ安定させるために使用されるＰＣＢと、ワイヤーを通してＰＣＢに接続される充電式バッテリとを含む、充電機能を有するスーツケースである。電流発生デバイスは、スーツケース本体の底部に固定され、かつ、ローラシャフトを通してローラに接続されるローラブラケットと、ローラブラケット上に固定され、かつ発生器回路基板および電力線を有する電力発生器固定板と、電力発生器固定板上に固定され、かつ発生器回路基板に接続される少なくとも１つの電力発生器と、を含む。ローラシャフトに接続されるローラは第１のギアを有し、電力発生器のシャフトは第２のギアを有する。第２のギアは、伝動装置を通して第１のギアと係合される。電力発生器は、当該ローラが時計回りまたは反時計回りに回転しても電流を効果的に発生させる。電流発生デバイスは、ローラのそれぞれが異なる速度でおよび異なる方向に移動しても正常に機能する。充電式バッテリは、電圧を安定させかつ電流を制限するための内蔵型回路基板を含み、さまざまなタイプの電子製品を充電するための少なくとも１つの出力ポートを含む。
【００２５】
さらなる実施形態では、スーツケースのローラの数は２つであり、ローラのそれぞれは電流発生デバイスを備える。
【００２６】
さらなる実施形態では、電力発生器固定板は２つの電力発生器を含む。
【００２７】
さらなる実施形態では、ローラ上の第１のギアは、ローラに対して直接はめ込まれ、かつ固定される。
【００２８】
さらなる実施形態では、伝動装置は、ローラ上の第１のギアと係合される第１の伝動装置と、接続シャフトを通して第１の伝動装置に接続され、同時に、２つの電力発生器のシャフト上の第２のギアと係合される第２の伝動装置と、を含む。
【００２９】
本考案のさらに別の実施形態では、接続シャフトは、接続部品を通して電力発生器固定板上に固定される。接続シャフトの端部は、第２の伝動装置の穴に挿入させるために、第２の伝動装置の穴の形状と適合させた表面を有する。充電機能を有するスーツケースは、接続シャフト上にスリーブ接続させた軸受をさらに含む。
【００３０】
さらなる実施形態では、スーツケースはカバー板をさらに含む。カバー板およびローラブラケットは閉鎖空間を形成する。電力発生器固定板、電力発生器、および伝動装置は、閉鎖空間内にある。
【００３１】
さらなる実施形態では、ローラブラケットをスーツケース本体上に設置するための設置部がある。
【００３２】
説明を最後まで読むことによって、当業者は、技術的解決策の特性および内容をより良く認識するであろう。
【００３３】
本考案について、ここで、本考案の実施形態を例示する添付の図面を参照することによって説明し、これによって、本考案の利点および実現方法が明らかとなるであろう。添付の図面に示される内容は、例示を意図するものであって、決して本考案を制限するものではない。
【図面の簡単な説明】
【００３４】
【図１】本考案の第１の実施形態における充電機能を有するスーツケースの構造概略図である。
【図２】本考案の第１の実施形態における組み立て後のローラブラケットおよび他の構成部品の構造概略図である。
【図３】組み立て前の本考案の第１の実施形態におけるローラブラケットおよび他の構成部品の概略図である。
【図４】組み立て後の本考案の第１の実施形態におけるローラ、伝動装置、および電力発生器の正面および背面概略図である。
【図５】本考案の第１の実施形態における電力発生器および電力発生器固定板の構造概略図である。
【図６】本考案の第２の実施形態における充電機能を有するスーツケースの構造概略図である。
【図７】組み立て後の本考案の第２の実施形態におけるローラブラケットおよび他の構成部品の構造概略図である。
【図８】組み立て前の本考案の第２の実施形態におけるローラブラケットおよび他の構成部品の構造概略図である。
【図９】本考案の第２の実施形態における電力発生器および電力発生器固定板の構造概略図である。
【図１０】本考案の第２の実施形態における電力発生器、ローラ、およびワイヤー絡み合い防止モジュールの組み立ての概略図である。
【図１１】図１０に示されるようなワイヤー絡み合い防止モジュールの変形を示す図である。
【図１２】本考案の第３の実施形態における組み立て前のローラブラケットおよび他の構成部品の概略図である。
【図１３】本考案の第３の実施形態における、ローラブラケットの固定板とワイヤー絡み合い防止モジュールのシールカバーとの間に配設される軸受の概略図である。
【図１４】本考案の第３の実施形態における、ローラブラケットとスーツケース底部との間に配設される懸架ばねの概略図である。
【図１５】本考案における、充電機能を有するスーツケースのシャーシとローラブラケットモジュールとの間の接続についての構造概略図である。
【考案を実施するための形態】
【００３５】
本考案によって提供される、充電機能を有するスーツケースは、２つのローラのスーツケースおよび４つのローラのスーツケースに適用可能である。最初に、例として２つのローラのスーツケースを使用すると、図１〜図５に示されるように、本考案によって提供される、充電機能を有するスーツケースは、スーツケース本体１と、２つのローラ２０と、ローラ２０のうちの少なくとも１つに配設される電流発生デバイスと、電流発生デバイスに接続され、交流電流を直流電流に変換しおよび電圧を調整しかつ安定させるために使用されるＰＣＢ６０と、ワイヤー７１を通してＰＣＢ６０に接続される充電式バッテリ７０と、を含む。電流発生デバイスは、スーツケース本体１の底部に固定され、かつ、ローラシャフト２５を通してローラ２０に接続されるローラブラケット１０であって、ローラ２０は第１のギア２１を有する、ローラブラケット１０と、ローラブラケット１０上に固定され、かつ発生器回路基板３１、およびＰＣＢ６０に接続される電力線３２を有する電力発生器固定板３０と、電力発生器固定板３０上に固定され、かつ発生器回路基板３１に接続される電力発生器４０であって、発生器４０のシャフトは伝動装置を通して第１のギア２１と係合される第２のギア４１を有し、当該ローラが時計回りまたは反時計回りに回転しても電流を効果的に発生させる、電力発生器４０と、を含む。充電式バッテリ７０は、電圧を安定させかつ電流を制限するための内蔵型回路基板７３、および、さまざまなタイプの電子製品を充電するための少なくとも１つの出力ポート７２を備える。
【００３６】
電力発生器固定板３０上に、２つの電力発生器４０が固定されている。電流発生デバイス全ては、ワイヤーによってＰＣＢ６０に接続され、次いで、充電式バッテリに接続される。
【００３７】
図４に示されるように、電力発生器４０および第２のギア４１は、それぞれ、電力発生器固定板３０の前側および後側にある。電力発生器４０および発生器回路基板３１は、電力発生器固定板３０の同じ側にある。
【００３８】
この実施形態では、伝動装置は、ローラ２０上の第１のギア２１と係合される第１の伝動装置５１と、接続シャフト５３を通して第１の伝動装置５１に接続され、電力発生器のシャフト上の第２のギア４１と係合させるために使用される第２の伝動装置５２とを含む。この実施形態では２つの電力発生器を利用する。よって、第２の伝動装置５２は、同時に、２つの電力発生器のシャフト上の第２のギア４１と係合される。電力発生器４０は、当該ローラが時計回りまたは反時計回りに回転しても正常に機能する。従って、電流は、スーツケースが前方または後方に移動しても発生させることができる。
【００３９】
具体的に言えば、接続シャフト５３は、電力発生器固定板３０を通過するねじを通して電力発生器固定板３０上に固定される。接続シャフト５３の１端部は、第２の伝動装置５２の穴の形状と適合させた表面を備え、固定させるために、第２の伝動装置５２の穴に挿入させるようにする。軸受５４もあり、その数量は２つであってよい。軸受５４は、接続シャフト５３上にスリーブ接続される。軸受を備えることによって、車輪はより円滑に回転でき、その製品寿命は大幅に延長される。
【００４０】
図３に示されるようにカバー板１２もある。カバー板はローラブラケット１０と合わせて閉鎖空間を形成し、この空間を利用して、電力発生器固定板３０、電力発生器４０、および伝動装置を受け、かつ密閉する。さらに設置部１１もある。設置部１１上に窓１１ａがある。窓１１ａを通して、ローラブラケット１０はスーツケース上に設置される。
【００４１】
ローラ２０は、ローラ本体２４、および、ローラ本体２４の中心穴の両側の軸受２３を含む。第１のギア２１は、ローラ２０に対して直接はめ込まれ、かつ固定される。ローラシャフト２５は、軸受２３、ローラ本体２４、第１のギア２１、調節部品、およびローラブラケットの側壁を通過し、ナット２６を通してローラブラケット１０に接続される。
【００４２】
前述の第１のギア２１、伝動装置、および第２のギア４１は、ギアシステムを構成する。詳細な研究、計算、および試験によって、このギアシステムは、最適な伝達比を与えることができ、それによって、ユーザが、通常の速度で歩くか早い速度で走るかに関わらず、スーツケースを携行して歩く時に、確実に電流を発生させることができる。また、その効果は自宅での充電と変わらないものである。具体的に言えば、通常の歩行速度で、ギアシステムは、自宅の充電器と同じ大きさの電力を発生させるように、電力発生器を理想的な速度で回転させることができる。走る速度が速い時、電力発生器は依然、電力発生器の容量の範囲内でより大きな電流を発生させることができ、かつ損傷しないようにすることができる。さらに、伝動装置の設計は、水または埃による電力発生器またはＰＣＢシステムの破壊をより効果的に防止することができる。
【００４３】
ローラと地面との間の摩擦は非常に重要である。摩擦が小さすぎる場合、ローラは「摺動する」ことになる。これは、電力発生器を作動させることができず、電力を発生させることができないことを意味する。摩擦を改善するために、本考案におけるローラは、地面を捉える十分な力を発生させるために弾性および高摩擦材料を採用する。ギアシステムの設計のおかげで、移動機構は全体として摩擦（内部抵抗）が小さい。この結果、荷物は前方または後方に容易に移動可能である。
【００４４】
電力発生器４０によって発生させた電流は、最初にＰＣＢ６０に送られることになる。電流は調整されかつ安定にされ、交流電流は直流電流に変換されることになる。次いで、該電流は充電式バッテリ７０に送出される。充電式バッテリ７０の内蔵型回路基板７３は、電圧を安定させ、かつ電流を制限する役割を果たす。上記の保護手段によって、充電式バッテリ７０の損傷を防止し、かつ充電を安全に行えるようにする。
【００４５】
図には示されていないが、本考案によって提供される充電機能を有するスーツケースはまた、バッテリ収納部を含む。このバッテリ収納部は、スーツケース本体１内にあり、充電式バッテリ７０を受けるためのものである。バッテリ収納部は、緩衝層を備え、これを使用して、振動および衝突による充電式バッテリ７０の損傷を防止する。充電式バッテリ７０はバッテリ収納部から取り出し可能であるため、ユーザが充電機能を有するスーツケースを携行する必要がない時に充電式バッテリ７０は使用可能である。
【００４６】
以下に、本考案によって提供される充電機能を有するスーツケースを紹介するために、４つのローラのスーツケースを例として挙げる。図６〜図１０を参照されたい。この実施形態では、充電機能を有するスーツケースは、スーツケース本体と、４つのローラと、ローラのそれぞれに配設される１つの電流発生デバイスとを含む。電流発生デバイスは、最初にワイヤーを通してＰＣＢ６００に接続され、次いで、充電式バッテリに接続される。電力発生デバイスは、スーツケース本体の底部に固定されるローラブラケット１００と、第１のギア２１０を有し、かつローラシャフト２３０を通してローラブラケット１００に接続されるローラ２００と、ローラブラケット１００上に固定され、かつ発生器回路基板３１０および電力線３２０を有する電力発生器固定板３００と、電力発生器固定板３００上に固定され、かつ電力発生器回路基板３１０に接続される電力発生器４００とを含む。電力発生器４００のシャフト上に第２のギア４１０があり、第２のギア４１０は第１のギア２１０と直接係合される。ＰＣＢ６００は、交流電流を直流電流に変換しおよび電圧を調整しかつ安定させるために使用され、電力線３２０に接続される。充電式バッテリ７００はワイヤー７１０を介してＰＣＢ６００に接続される。充電式バッテリ７００は、電圧を安定にし、かつ電流を制限するための内蔵型保護回路基板７３０と、異なる電子デバイスを充電するための少なくとも１つの出力ポート７２０とを有する。全ての電流発生デバイスは最初ＰＣＢ６００に接続され、次いで、充電式バッテリ７００に接続される。
【００４７】
図９に示されるように、電力発生器４００および第２のギア４１０は、それぞれ、電力発生器固定板３００の前側および裏側にある。電力発生器４００および発生器回路基板３１０は、電力発生器固定板３００の同じ側にある。
【００４８】
図７〜図１０に示されるように、この実施形態では、ローラブラケット１００は、対応して配設される、第１の取り付け板１１０および第２の取り付け板１２０、ならびに、第１の取り付け板１１０および第２の取り付け板１２０を接続する固定板１３０を含む。ローラ２００は、第１の取り付け板１１０と第２の取り付け板１２０との間にある。固定板１３０はローラ２００の上にある。ローラシャフト２３０は、第１の取り付け板１１０、第１のギア２１０、ローラ２００、および第２の取り付け板１２０を通過する。電力発生器固定板３００は、ねじを通して、または他の方法によって、第１の取り付け板１１０上に固定可能である。中央シャフトレバー１５０もあり、このレバーは、固定板１３０およびスーツケース本体の底部を通過し、ローラブラケット１００をスーツケース本体の底部に固定させるために使用される。
【００４９】
この実施形態では、ローラ２００上に複数の固定穴がある。第１のギア２１０上に、複数の対応するプラグイン部品があり、固定穴に挿入されるためのものであり、それによって、第１のギア２１０をローラ２００上に固定する。
【００５０】
ローラ２００は、第１の取り付け板１１０と第２の取り付け板１２０との間にある。第１のギア２１０は第１の取り付け板１１０の内側の溝に位置し、第２のギア４１０と直接係合される。
【００５１】
蒸気および埃の影響を防止するために、ねじを通して第１の取り付け板１１０に接続され、かつ、電力発生器４００および電力発生器固定板３００を覆うために使用される第１のカバー１７０、および、上にある留め金によって第２の取り付け板１２０上の貫通孔にパチッとはめられることによって、第２の取り付け板１２０に接続される第２のカバー１６０もある。その上、電力発生器４００および発生器回路基板３１０の位置は、（図１０に示されるように）ローラ２００の中心より高く、水または埃によるシステムの破壊をさらに防止することができる。実際、第１の取り付け板１１０自体も、水および埃によるシステムの破壊を妨げる機能を有する。
【００５２】
この実施形態では、スーツケース本体内にワイヤー絡み合い防止モジュールもある。底部から最上部まで、中央シャフトレバー１５０は、固定板１３０、ワイヤー絡み合い防止モジュール、および上カバー１４８を順番に通過する。ワイヤー絡み合い防止モジュールは、上カバー１４８によってスーツケース本体の底部に固定される。上カバー１４８上に内側キャップ１４９もある。
【００５３】
この実施形態では、ワイヤー絡み合い防止モジュールは、固定板１３０上に配設され、かつその１端部がスーツケース本体の内部まで延在する凸状部品１４０と、凸状部品１４０の上端を取り囲みかつこれに対して固定され、発生器回路基板３１０から導き出される電力線３２０によって接続される複数のリング状接触部１４１、１４２、および１４３と、固定板１３０の上端に配設され、かつリング状接触部１４１、１４２、および１４３を取り巻くシールカバー１４７と、シールカバー１４７上に固定されるばね部品１５２、１５３、および１５４と、を含む。ばね部品１５２、１５３、および１５４のそれぞれの１端部は、シールカバー１４７を通過し、かつ、対応するリング状接触部１４１、１４２、および１４３のうちの１つに接触し、他端部はＰＣＢのワイヤー７１０に接続される。ワイヤー絡み合い防止モジュールは、シールカバーの内側上端にワッシャ１５５および１５６も含む。
【００５４】
図１１に示されるような上記実施形態の変形では、ばね部品と適合される螺旋ばね部１５７も含む。螺旋ばね部は全て固定部１５８によって１つのばね部品に固定される。
【００５５】
４つのローラのスーツケースの実施形態では、ローラ２００は中央シャフトレバー１５０に沿って、時計回りまたは反時計回りに３６０度回転することができ、電力発生器によって発生させる電気を流す電力線３２０は、第１のリング状接触部１４１、第２のリング状接触部１４２、および第３のリング状接触部１４３の底部に接続される。ばね部品１５２、１５３、および１５４はシールカバーを通過し、かつ、対応する第１のリング状接触部１４１、第２のリング状接触部１４２、および第３のリング状接触部１４３に接触する。ばね部品の弾性力は、慎重に較正されるため、多くの場合、大幅に大きい抵抗を発生させずに、ローラ２００が３６０度回転しないように、第１のリング状接触部１４１、第２のリング状接触部１４２、および第３のリング状接触部１４３に接触させることができる。ばね部品１５２、１５３、および１５４の別の端部は、延長させたワイヤー７１０に接続される。ワイヤー７１０は電流をＰＣＢに輸送する。ここで、交流電流は直流電流に変換されることになり、電圧は調整されかつ安定させられた後、電流は充電式バッテリ７００に送出される。充電式バッテリ７００の内蔵型回路基板７３０は、電圧を安定させ、かつ電流を制限する役割を果たす。前述の設計では、確実にワイヤーが絡み合わないようにし、充電式バッテリに効果的に接続でき、ローラ２００が回転する方向に関係なく停止せずに電流を充電式バッテリに転送することができる。
【００５６】
前述の保護手段によって、充電式バッテリ７００の損傷を効果的に防止でき、かつ充電をより安全に行うことができる。
【００５７】
図には示されていないが、本考案によって提供される充電機能を有するスーツケースはまた、バッテリ収納部を含む。このバッテリ収納部は、充電式バッテリ７００を受けるために、スーツケース本体内の任意の適切な位置に配置可能である。バッテリ収納部は、緩衝層を備え、これを使用して、振動または衝突による充電式バッテリ７００の損傷を防止する。充電式バッテリ７００はバッテリ収納部から取り出し可能であるため、ユーザが充電機能を有するスーツケースを携行する必要がない時に充電式バッテリ７００は使用可能である。
【００５８】
図１２および図１３は、本考案における充電機能を有するスーツケースの別の実施形態を示し、これは、前述の４つのローラのスーツケースの変形である。該スーツケースは、スーケース本体、および４つのローラ群を含み、全てのローラ群は電流発生デバイスを備える。これらの電流発生デバイスは、ワイヤーを通してＰＣＢに接続され、次いで、充電式バッテリに接続される。どのローラ群もみな２つのローラを有する。電流発生デバイスは、閉鎖空間を形成するために協働する２つの側板を有するローラブラケット１００ａであって、スーツケース本体の底部に固定され、かつローラシャフト２３０ａを通して全てのローラ群に接続されるローラブラケット１００ａと、ローラブラケット１００ａ上に固定され、かつ、発生器回路基板および電力線を有する電力発生器固定板３００ａと、電力発生器固定板３００ａ上に固定され、かつ発生器回路基板に接続される電力発生器４００ａとを含む。各群における２つのローラ２００ａおよび２００ｂはローラブラケット１００ａの両側に位置し、１つのローラ２００ａ上に第１のギア２１０ａ、電力発生器４００ａ上に第２のギア（図示せず）があり、第２のギアは第１のギア２１０ａと直接係合される。電力発生器４００ａ、電力発生器固定板３００ａ、第１のギア２１０ａ、および第２のギアは、水および埃による損傷を防止するために、ローラブラケット１００ａの２つの側板によって形成される閉鎖空間内に収容される。ローラブラケット１００ａの上端における凸状部品を使用してワイヤー絡み合い防止モジュールを収容する。ローラブラケットの最上部、ワイヤー絡み合い防止モジュール、およびスーツケースの底部を通過し、かつローラブラケットをスーツケースの底部に固定させるために使用される中央シャフトレバーがある。この実施形態では、全ての電流発生デバイスの電力発生原理は、基本的に、前述の実施形態に記載されるものと同じである。ただ、このスーツケースにはもう１つローラがあり、装飾用にまたは見栄えを良くするために使用される。
【００５９】
本考案によって提供される充電機能を有するスーツケースは、第１のギアおよび第２のギアを、ローラの回転によって回転させ、それによって、電力発生器に電力を発生させる。また、該スーツケースは、最適な伝達比を提供し、電流を引き起こし、出力を継続的に行う。さらに、該スーツケースは、スーツケースを押すまたは引くことによって移動させるために摩擦を低減することもできる。電力発生器によって発生させた電流は、ＰＣＢを通して、ＡＣ／ＤＣ変換、調整、および安定化を実現し、次いで、充電式バッテリに充電される。充電式バッテリ７００は、内蔵型回路基板７３０を備え、この基板は電圧を安定させ、かつ電流を制限する役割を果たす。前述の保護手段によって、効果的に、安全な充電を確実に行うことができる。複数の出力を通して、充電式バッテリは異なる電子デバイスを同時に充電することができる。ローラは、弾性および高摩擦材料から作られ、地面を効果的に捉えることができる。異なる防湿性および防塵性を有する技術的手段は、２つのローラのスーツケースおよび４つのローラのスーツケースそれぞれに設けられて、充電システム全体の損傷を防止する。
【００６０】
オプションとして、４ローラ／ローラ群の実施形態において、図１３に示されるように、ローラブラケットの固定板と、ワイヤー絡み合い防止モジュールのシールカバーとの間に軸受１６５が配置可能である。
【００６１】
スーツケースが揺さぶられる時、ローラブラケットの損傷を防止するために、図１４に示されるように、ローラブラケットとスーツケース本体との間に緩衝用ばね部９１２が配置されてよい。図１４に示される実施形態では、円筒状上カバー９１０がローラブラケット上に配設される。上カバーの上端は雄ねじを備える。緩衝用ばね部９１２は円筒状上カバー９１０に取り付けられる。スーツケース本体の底部には、貫通孔を有する取り付けラック８５０が配設され、ローラブラケットをスーツケース本体に取り付けるために使用される。上カバー９１０は取り付けラック８５０の貫通孔に挿入され、かつ、雌ねじを有する固定部９１４と組み合わせられることで、ローラブラケットをスーツケース本体の底部に固定させる。
【００６２】
スーツケース底部の強度または安定性を高めるために、図１５に示されるように、スーツケース本体の底部にシャーシ８００が配置されてよい。全てのローラ／全てのローラ群は、最上部に雄ねじを有する円筒状上カバー９１０が、シャーシ取り付け穴８１０上にありかつ雌ねじを有する固定部９１４に接続されるやり方によって、シャーシ８００に対して留められる。代替的には、緩衝用ばね９１２は、円筒状上カバー９１０とシャーシ８００との間に配置されてよい。これによって、ふとしたことで落下した場合の衝突によるスーツケースの損傷を効果的に低減できる。
【００６３】
上記では、本考案の好ましい実施形態が添付の図面を参照することによって説明されている。本考案の範囲および本質から逸脱することなく、当業者は、本考案を実現するためにさまざまな改良されたスキームを採用することができる。例えば、一実施形態に部分的に提示されるまたは記載される特徴は、別の実施形態を達成するために別の実施形態において使用されてよい。上記実施形態は、本考案の好ましく実現可能な実施形態に過ぎず、本考案の特許請求の範囲を制限するものではない。本考案の説明および図面の内容を適用することによってなされる全ての等価の変更は、本考案の特許請求の範囲に含まれる。
【手続補正２】
【補正対象書類名】実用新案登録請求の範囲
【補正対象項目名】全文
【補正方法】変更
【補正の内容】
【実用新案登録請求の範囲】
【請求項１】
スーツケース本体と、
前記スーツケース本体の底部に配設される４つのローラと、
前記ローラのそれぞれに配設される電流発生デバイスと、
前記電流発生デバイスに接続され、交流電流を直流電流に変換しおよび電圧を調整しかつ安定させるために使用されるＰＣＢと、
ワイヤーを通して前記ＰＣＢに接続される充電式バッテリと、を備え、
前記電流発生デバイスは、前記スーツケース本体の底部に固定され、かつローラシャフトを通して前記ローラに接続されるローラブラケットと、前記ローラブラケット上に配設されるワイヤー絡み合い防止モジュールと、前記ローラブラケット上に固定され、かつ発生器回路基板および電力線を有する電力発生器固定板と、前記電力発生器固定板上に固定され、かつ前記発生器回路基板に接続される少なくとも１つの電力発生器と、を含み、
前記ローラシャフトに接続される前記ローラは第１のギアを有し、前記電力発生器のシャフトは第２のギアを有し、前記第２のギアは直接的に前記第１のギアと係合され、前記電力発生器は、前記ローラがどんな方向に回転しても電流を効果的に発生し、前記電流発生デバイスは、前記ローラのそれぞれが異なる速度でおよび異なる方向に移動しても正常に機能し、
前記充電式バッテリは、電圧を安定させかつ電流を制限するための内蔵型回路基板を含み、さまざまなタイプの電子製品を充電するための少なくとも１つの出力ポートを含む、充電機能を有するスーツケース。
【請求項２】
前記ローラブラケットは、対応して配設される、第１の取り付け板および第２の取り付け板、ならびに、前記第１の取り付け板および前記第２の取り付け板を接続する固定板を含み、前記ローラは、前記第１の取り付け板と前記第２の取り付け板との間にあり、前記固定板は前記ローラの上にあり、前記ローラシャフトは、前記第１の取り付け板、前記ローラ上の前記第１のギア、前記ローラ、および前記第２の取り付け板を順番に通過し、前記電力発生器固定板は前記第１の取り付け板の外側に固定され、前記ローラブラケットは、前記固定板および前記スーツケース本体の底部を通過し、かつ前記ローラブラケットを前記スーツケース本体の底部に固定させるために使用される中央シャフトレバーをさらに含む、請求項１に記載の充電機能を有するスーツケース。
【請求項３】
前記第１のギアは前記第１の取り付け板の内側の溝に位置する、請求項２に記載の充電機能を有するスーツケース。
【請求項４】
前記第１の取り付け板に接続され、かつ、前記電力発生器および前記電力発生器固定板を覆うために使用される第１のカバーをさらに含む、請求項２に記載の充電機能を有するスーツケース。
【請求項５】
前記ローラのそれぞれは、前記ローラシャフトを通して別のローラと共にローラ群を形成し、前記ローラの２つは前記ローラブラケットの両側に配設され、前記ローラブラケットは２つの側板を含み、前記２つの側板は閉鎖空間を形成し、前記ローラシャフトは前記ローラのうちの１つ、前記ローラブラケットの前記側板のうちの１つ、前記ローラに接続される前記第１のギア、前記ローラブラケットの前記側板の別の１つ、および前記ローラの別の１つを順番に通過し、前記第１のギア、前記電力発生器固定板、および前記第２のギアは、前記ローラブラケットの前記２つの側板によって形成される前記閉鎖空間内に設置され、前記充電機能を有するスーツケースは、前記ローラブラケットの最上部、前記ワイヤー絡み合い防止モジュール、および前記スーツケース本体の底部を通過し、かつ、前記ローラブラケットを前記スーツケース本体の底部に固定するために使用される中央シャフトレバーをさらに含む、請求項１に記載の充電機能を有するスーツケース。
【請求項６】
前記ワイヤー絡み合い防止モジュールは、前記ローラブラケットの最上部に配設される凸状部品であって、上端が前記スーツケース本体内に延在する凸状部品と、前記凸状部品を取り囲みかつこれに対して固定され、前記発生器回路基板から導き出される電力線によって接続される複数のリング状接触部と、前記ローラブラケットの上端に配設され、かつ前記リング状接触部を覆うシールカバーと、前記シールカバー上に固定されるばね部品であって、１端部が前記シールカバーを通過しかつ前記リング状接触部に接触し、別の端部が前記ＰＣＢのワイヤーに接続されるばね部品と、を含む、請求項２〜５のいずれか一項に記載の充電機能を有するスーツケース。
【請求項７】
前記中央シャフトレバーは、底部から最上部まで、前記ローラブラケットの最上部、前記ワイヤー絡み合い防止モジュール、前記シールカバー、および上カバーを順番に通過し、前記中央シャフトレバーは前記上カバーによって前記スーツケース本体の底部に固定され、前記充電機能を有するスーツケースは前記上カバー上に配設される内側キャップをさらに含む、請求項６に記載の充電機能を有するスーツケース。
【請求項８】
前記ローラブラケットの最上部と前記ワイヤー絡み合い防止モジュールの前記シールカバーとの間に軸受が配置される、請求項６に記載の充電機能を有するスーツケース。
【請求項９】
前記スーツケース本体の底部において、内部の凹部に面する空間は、前記ワイヤー絡み合い防止モジュールに対応する位置に確保され、かつ、前記ワイヤー絡み合い防止モジュールを受けるために使用される、請求項１に記載の充電機能を有するスーツケース。
【請求項１０】
前記スーツケース本体の底部上に配設されるシャーシをさらに含み、前記ローラは接続部品を通して前記シャーシより下に設置される、請求項１に記載の充電機能を有するスーツケース。
【請求項１１】
前記ローラブラケットと前記スーツケース本体の底部との間に緩衝ばねが配置される、請求項１に記載の充電機能を有するスーツケース。
【請求項１２】
前記電力発生器および前記第２のギアは、それぞれ、前記電力発生器固定板の前側および後側にある、請求項１に記載の充電機能を有するスーツケース。
【請求項１３】
前記電力発生器および前記発生器回路基板は、前記電力発生器固定板の同じ側にある、請求項１に記載の充電機能を有するスーツケース。
【請求項１４】
前記スーツケース本体内に配設され、かつ、前記充電式バッテリを受けるために使用されるバッテリ収納部をさらに含む、請求項１に記載の充電機能を有するスーツケース。
【請求項１５】
前記バッテリ収納部は緩衝層を備える、請求項１に記載の充電機能を有するスーツケース。
【請求項１６】
スーツケース本体と、
前記スーツケース本体の底部に配設される少なくとも２つのローラと、
前記ローラのうちの１つに配設される電流発生デバイスと、
前記電流発生デバイスに接続され、交流電流を直流電流に変換しおよび電圧を調整しかつ安定させるために使用されるＰＣＢと、
ワイヤーを通して前記ＰＣＢに接続される充電式バッテリと、を備え、
前記電流発生デバイスは、前記スーツケース本体の底部に固定され、かつ、ローラシャフトを通して前記ローラに接続されるローラブラケットと、前記ローラブラケット上に固定され、かつ発生器回路基板および電力線を有する電力発生器固定板と、前記電力発生器固定板上に固定され、かつ前記発生器回路基板に接続される少なくとも１つの電力発生器と、を含み、
前記ローラシャフトに接続される前記ローラは、第１のギアを有し、前記電力発生器のシャフトは第２のギアを有し、前記第２のギアは、伝動装置を通して前記第１のギアと係合され、前記電力発生器は、前記ローラが時計回りまたは反時計回りに回転しても電流を効果的に発生し、前記電流発生デバイスは、前記ローラのそれぞれが異なる速度でおよび異なる方向に移動しても正常に機能し、
前記充電式バッテリは、電圧を安定させかつ電流を制限するための内蔵型回路基板を含み、さまざまなタイプの電子製品を充電するための少なくとも１つの出力ポートを含む、充電機能を有するスーツケース。
【請求項１７】
前記スーツケースの前記ローラの数は２つであり、前記ローラのそれぞれは前記電流発生デバイスを備える、請求項１６に記載の充電機能を有するスーツケース。
【請求項１８】
前記電力発生器固定板は２つの電力発生器を含む、請求項１６に記載の充電機能を有するスーツケース。
【請求項１９】
前記ローラ上の前記第１のギアは、前記ローラに対して直接はめ込まれ、かつ固定される、請求項１６に記載の充電機能を有するスーツケース。
【請求項２０】
前記伝動装置は、前記ローラ上の前記第１のギアと係合される第１の伝動装置と、接続シャフトを通して前記第１の伝動装置に接続され、同時に、２つの前記電力発生器の前記シャフト上の前記第２のギアと係合される第２の伝動装置と、を含む、請求項１６に記載の充電機能を有するスーツケース。
【請求項２１】
前記接続シャフトは、接続部品を通して前記電力発生器固定板上に固定され、前記接続シャフトの端部は前記第２の伝動装置の穴に挿入させるために、前記第２の伝動装置の前記穴の形状と適合させた表面を有し、前記充電機能を有するスーツケースは前記接続シャフト上にスリーブ接続させた少なくとも１つの軸受をさらに含む、請求項２０に記載の充電機能を有するスーツケース。
【請求項２２】
カバー板をさらに含み、前記カバー板および前記ローラブラケットは閉鎖空間を形成し、前記電力発生器固定板、前記電力発生器、および前記伝動装置は、前記閉鎖空間内にある、請求項１６に記載の充電機能を有するスーツケース。
【請求項２３】
前記ローラブラケットを前記スーツケース本体上に設置するための設置部をさらに含む、請求項１６に記載の充電機能を有するスーツケース。